Podtech/llm-jp-corpus-v4-ja_patent huggingface dataset:
(57)【要約】本発明は毛髪の再生を促進する養毛液（ヘアローション）を目的とするものである。この養毛液は少なくとも次の諸成分、すなわちヨウ素塩、レモン汁、生の玉葱、及びアルコールからなる混合物から構成され、玉葱の臭気を中和するのに適した香料をこの混合物に添加することが好ましい。この養毛液は、毛髪の維持とケアに向けた製品の製造と頒布の工業的及び商業的分野に関するものであり、年齢を問わず女性にも男性にも好適なものである。【特許請求の範囲】
【請求項１】
毛髪の維持とケアのための年齢を問わず男女に適した養毛液であって、ヨウ素塩と、レモン汁と、生の玉葱と、クエン酸及びアルコールを含有する混合物からなることを特徴とする養毛液。
【請求項２】
さらに玉葱の臭みを中和するのに適した香料を含有することを特徴とする請求項１に記載の養毛液。
【請求項３】
アルコールの代わりに玉葱の臭みを中和するのに適した香り付けをしたアルコラートを含むことを特徴とする請求項２に記載の養毛液。
【請求項４】
混合物の成分が、ヨウ素塩１０％、レモン汁１５％、生の玉葱５０％、クエン酸５％及びアルコール叉は香り付けアルコラート２０％の近傍の割合で配合されていることを特徴とする請求項１〜３のいずれか１項に記載の養毛液。
【発明の詳細な説明】
【技術分野】
【０００１】
本発明は毛髪の再生を助長する養毛液に関するものである。
【０００２】
本発明は、毛髪の維持とケアのための物品の製造と頒布の工業的及び商業的分野に関するもので、この物品は年齢を問わず女性にも男性にも役立つことができるものである。
【０００３】
毛髪は、正装した時はいつでも、女性にとっても男性にとっても、外観上きわめて重要性をもっている。
【０００４】
短く刈った髪は、多くの古文書に女性はその家族あるいは町を直撃した不幸のあとは頭を丸めると指摘しているように、一般に苦痛及び悲嘆のサインとみられている。
【０００５】
反対に長い髪は、バイブルの中でサムソンとデリラのエピソードが物語っているように、力の象徴であり、同時に王の威厳の象徴でもある。
【０００６】
毛髪の損耗は、主として年齢にもよるものであるが、他の要因、例えば或る病気などによっても起こり得るもので、しばしば殆ど一つの疾病のように感じられていて、そのため多くの人々はそれを直そうとして巨額の費用をかけるが、大部分の時間は成功を見ることなく、またそれを抑えようとし、或いは少なくとも禿げを覆い隠そうと試みる。
【従来技術】
【０００７】
今日、市場において実に多数の商品が毛髪の再生を促すことができるものとして提供されている。われわれの知る限り、これらのうち或るものは一時的にも毛髪の消失を遅らせるのに成功しているとしても、他のものは毛髪の再生を促すのに成功していない。特に、これら商品の大部分は脂肪性物質を大きな割合で含有しており、このため一回使うと不満足なものとして感じられ、髪型は毛がベタベタくっつくので美的さを欠く。
【課題を解決する手段】
【０００８】
本発明はこれらの不具合を解消することを目的とするもので、全く脂肪性物質を含有しない製品を提供することで、毛髪の消失を停止させるだけでなく、有効かつ可視的な再生を確実にすることが、１００人を越す人々について行った一連のテストがそれを示している通りである。
【発明を実施するための最良の形態】
【０００９】
本発明の製品は、以下の諸成分の混合物から構成される。すなわち、ヨウ素塩、レモン汁、生の玉葱、クエン酸、及びアルコールの混合物である。そして好ましくは、玉葱の臭みを中和するのに適した香料をこの混合物に加えるのがよい。
【００１０】
以下の詳細な記述は、本発明の目的を実現する形式の非限定的な例示として与えられるものである。
【００１１】
本発明に係る養毛液は１００％天然の製品であって、脂肪性物質はまったく含まない。
【実施例】
【００１２】
本発明の製品は、少なくとも以下の諸成分を含有する混合物である。
−ヨウ素塩
−レモン汁
−生の玉葱
−クエン酸
−アルコール
【００１３】
特に、玉葱が発する快適でない臭みのために、この臭気を中和するように選ばれた香科を添加するか、又はアルコールに代えて香気付けしたアルコラートを用いることが有利である。
【００１４】
本発明の混合物の諸成分は以下の値の近傍の割合で配合される。
−ヨウ素塩              １０％
−レモン汁              １５％
−生の玉葱              ５０％
−クエン酸                ５％
−アルコール叉は香気
付けしたアルコラート  ２０％
【００１５】
以上述べた製品は、利用する諸成分の低コストに起因する非常に低い原価であることにより、毛髪の再生に向けた養毛液の実現に特に適したものであって、それゆえ極めて大きな拡散頒布が期待され得るものである。
【００１６】
諸成分の配合は、今日まで同種の他の商品によっては達成されていない最大限の効果を本発明の目的に与えるものである。
【国際公開パンフレット】
2005500323.tif 000002
2005500323.tif 000003
2005500323.tif 000004
2005500323.tif 000005
2005500323.tif 000006
【国際公開パンフレット（コレクトバージョン）】
2005500323.tif 000007
【国際調査報告】
2005500323.tif 000008
2005500323.tif 000009
2005500323.tif 000010
2005500323.tif 000011
(57)【要約】【課題】従来は、巻き戻りを防止する収納容器や装置などがあったが、これらのものでは引き出したラップフィルムが巻き戻ることがあった。このため、引き出したラップフィルムと巻いているラップフィルムが引っ付くことを完全に防止することはできなかった。  本発明は、引き出したラップフィルムが巻いているラップフィルムに引っ付くことを完全に防止できる食品包装用ラップフィルムフィルムの紙製収納容器を提供する。【解決手段】本体前面裏側板中央の紙の一部に切り込みを入れ、それをステーとして引き起こす。そのステーを引き出したラップフィルムと巻いているラップフィルムの間に入れることを特徴とする食品包装用ラップフィルムの紙製収納容器である。【選択図】図１
2018095315.tif 000002
【特許請求の範囲】
【請求項１】
本体前面裏側板中央の紙の一部に切り込みを入れ、それをステーとして引き起こし、そのステーを引き出したラップフィルムと巻いているラップフィルムの間に入れて用いる食品包装用ラップフィルムの紙製収納容器。
【発明の詳細な説明】
【技術分野】
【０００１】  本発明は、引き出したラップフィルムが巻き戻り、巻いているラップフィルムに引っ付くことを防止する食品包装用ラップフィルムの紙製収納容器に関するものである。
【背景技術】
【０００２】  従来は、巻き戻りを防止する収納容器や装置があった。
【先行技術文献】
【特許文献】
【０００３】
【特許文献１】特開２０１６−１１３２１１
【特許文献２】特開２０１６−０５００３９
【特許文献３】特開２０１３−１３３４２５
【発明の概要】
【発明が解決しようとする課題】
【０００４】  従来は、巻き戻りを防止する収納容器や装置などがあったが、これらのものでは引き出したラップフィルムが巻き戻ることがあった。このため、引き出したラップフィルムと巻いているラップフィルムが引っ付くことを完全に防止することはできなかった。
本発明は、以上の問題点を解決するためのものである。
【課題を解決するための手段】
【０００５】  本体前面裏側板中央の紙の一部に切り込みを入れ、それをステーとして引き起こす。そのステーを引き出したラップフィルムと巻いているラップフィルムの間に入れる。
以上の構成よりなる食品包装用ラップフィルムフィルムの紙製収納容器である。
【発明の効果】
【０００６】  従来は、巻き戻りを防止する収納容器や装置などがあったが、これらは巻き戻りを完全に防止できずに引き出したラップフィルムと巻いているラップフィルムが引っ付くことがあった。
本発明では、引き出したラップフィルムと巻いているラップフィルムの間にステーを入れるため、引き出したラップフィルムが巻き戻ってもステー上に止まるので、これらのラップフィルムが引っ付くことが完全に防止できる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
本体前面裏側板（８）の中央の一部に切り込みを入れ、それをステー（９）として引き起こす。
本発明は、以上のような構造である。
本発明を使用するときは、ステー（９）を引き出したラップフィルム（１０）と巻いているラップフィルム（１１）の間に入れる。引き出したラップフィルム（１０）が巻き戻ってもステー（９）上で止まるため、巻いているラップフィルム（１１）と引っ付くことを完全に防止できる。
【符号の説明】
【０００９】１本体前面板、２本体底面板、３本体背面板、４本体側面板、５蓋上面板、６蓋前面板、７蓋側面板、８本体前面裏側板、９ステー、１０引き出したラップフィルム、１１巻いているラップフィルム
【図１】
2018095315.tif 000003
【図２】
2018095315.tif 000004
(57)【要約】      （修正有）【課題】ウエブの張力差を調整するためにその表面の静止摩擦係数を大きくできるロールの製造方法を提供する。【解決手段】円柱形のカットロール１２の表面にハードクロムメッキを行い、次に、カットロール１２の表面にアルミナを衝突させてショットピーニングを行うことによりロールの表面粗さが大きくなり、静止摩擦係数が大きくなる。【選択図】図２
2018095418.tif 000002
【特許請求の範囲】
【請求項１】
円柱形のロールの表面にメッキを行い、
次に、メッキを行った前記ロールの表面にショットピーニングを行う、
ロールの製造方法。
【請求項２】
前記ロールが、前張力Ｔ１で搬送されるウエブを抱き角θで抱いて回転することにより、前記前張力Ｔ１と張力差ΔＴがある後張力Ｔ２に変化させて搬送するテンションカットロールである、
請求項１に記載のロールの製造方法。
【請求項３】
前記ショットピーニングは、前記ロールの表面にアルミナを衝突させる、
請求項１に記載のロールの製造方法。
【請求項４】
前記メッキは、ハードクロムメッキである、
請求項１に記載のロールの製造方法。
【請求項５】
前記ロールの表面に螺旋状の溝を刻設し、
次に、前記溝が刻設された前記ロールの表面に前記メッキを行う、
請求項１に記載のロールの製造方法。
【発明の詳細な説明】
【技術分野】
【０００１】
本発明は、テンションカットロール装置に関するものである。
【背景技術】
【０００２】
従来、長尺状のウエブを搬送しながら加工する場合に、例えば加熱装置などから搬出されたウエブの張力を調整する必要がある。そのため、乾燥装置などの出口側にはテンションカットロールが設けられている。
【０００３】
このテンションカットロールは、このテンションカットロールの前方のウエブの張力と、後方の張力とを変化させるために、テンションカットロールは、ウエブを所定の抱き角で抱くことにより、テンションカット（張力差を調整）を行っている。
【先行技術文献】
【特許文献】
【０００４】
【特許文献１】特開２０００−２１１７８４号公報
【発明の概要】
【発明が解決しようとする課題】
【０００５】
上記のようなテンションカットロールにおいて、ウエブの張力差を調整するためには、その表面の静止摩擦係数を大きくする必要があるという課題がある。
【０００６】
そこで、本発明は上記課題に鑑み、静止摩擦係数を大きくできるロールの製造方法を提供することを目的とする。
【課題を解決するための手段】
【０００７】
本発明は、円柱形のロールの表面にメッキを行い、次に、メッキを行った前記ロールの表面にショットピーニングを行う、ロールの製造方法である。
【発明の効果】
【０００８】
本発明によれば、ロールの表面にショットピーニングを行うことにより、ロールの表面粗さが大きくなり、静止摩擦係数が大きくなる。
【図面の簡単な説明】
【０００９】
【図１】本発明の一実施形態を示すテンションカットロール本装置の説明図である。
【図２】カットロールの正面図である。
【発明を実施するための形態】
【００１０】
以下、本発明の一実施形態のロールの製造方法について図１〜図２に基づいて説明する。本実施形態では、ロールとしては、テンションカットロール（以下、単に「カットロール」という）１２を例示して説明する。このカットロール１２を用いるテンションカットロール装置（以下、単に「本装置」という）１０について図１〜図２を参照して説明する。本装置１０において搬送される長尺状のウエブＷは、例えば、フィルム、金属箔、布帛、紙などである。
【００１１】
（１）本装置１０の構成
本装置１０について図１を参照して説明する。本装置１０は、ウエブＷを熱処理して加熱する熱処理装置の出口側、熱処理装置の入口側、ウエブＷの巻取り装置の入口側、ウエブＷの巻出し装置の入口側、ウエブＷに塗工液を塗工する塗工装置の入口側、又は、塗工装置の出口側に設けられている。
【００１２】
本装置１０は、カットロール１２、カットロール１２の前方に配された前ガイドロール１４、カットロール１２の後方に配された後ガイドロール１６、前ガイドロール１４の前方に配された上下一対の前搬送ロール１８，２０、後ガイドロール１６の後方に配された上下一対の後搬送ロール２２，２４を有している。
【００１３】
カットロール１２の表面には、図２に示すように、螺旋状の溝２８が刻設されている。カットロール１２は、トルク制御と回転数の制御が可能なモータ２６によって回転する。
【００１４】
本装置１０は、カットロール１２の前方における張力（以下、「前張力」という）Ｔ１とカットロール１２と後方の張力（以下、「後張力」という）Ｔ２との間に張力差を与えるものであり、上下一対の前搬送ロール１８，２０の間をウエブＷが通過し、前ガイドロール１４の下方からカットロール１２の上面を経て後ガイドロール１６の下面に至り、上下一対の後搬送ロール２２，２４の間を通過する。このとき、カットロール１２におけるウエブＷを抱いている抱き角をθとする。
【００１５】
（２）カットロール１２の製造方法
次に、カットロール１２の製造方法について説明する。
【００１６】
第１に、鋼鉄により円柱型のカットロール１２を製造する。
【００１７】
第２に、カットロール１２の表面に溝２８を図２に示すように螺旋状に刻設する。
【００１８】
第３に、溝２８を形成したカットロール１２の表面にハードクロムメッキを行う。このハードクロムメッキを行うのは、カットロール１２の硬度を上げ、錆を防止するためである。
【００１９】
第４に、ハードクロムメッキを行ったカットロール１２の表面の全体に均一に、アルミナを衝突させるショットピーニングを行う。この場合に、溝２８の内部にもアルミナが衝突するように、ショットピーニングを行う。アルミナが衝突するとカットロール１２の表面が窪み、表面粗さが大きくなる。
【００２０】
（３）効果
本実施形態によれば、カットロール１２の表面にアルミナを衝突させてショットピーニングを行うことにより、カットロール１２の表面に万遍なく窪みが発生し、表面粗さＲａが大きくなる。実験によると、表面粗さＲａが０．１〜１．４μｍとなり、それに伴い静止摩擦係数が、０．４７〜０．５５となる。なお、「静止摩擦係数」とは、ウエブとカットロール１２との間の静止摩擦係数を意味する。
【００２１】
（４）変更例
上記実施形態ではロールとしては、テンションカットロール１２を例示して説明するが、これに限らずウエブＷの搬送方向を変更するグリップロールに用いてもよい。
【００２２】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２３】
１０・・・本装置、１２・・・カットロール、１４・・・前ガイドロール、１６・・・後ガイドロール、２８・・・溝
【図１】
2018095418.tif 000003
【図２】
2018095418.tif 000004
(57)【要約】【課題】  長尺の散水ホースを収納する場合、巻取ドラムを組込んだ巻取器具は、ドラムに巻取る過程でホースがドラムの片側に寄ってしまいドラムから食み出して巻取り軸に絡んだりする。ドラムに整然と巻き取ることができ難く、その度に巻戻しと巻取り操作を繰返し行っている。【解決手段】  主容器１の内部に副容器２を設けて二つの空間３、４を形成し、それぞれの空間と通じる適宜大の貫通穴５を主容器の底部近傍で副容器２の側面に設ける。更に、副容器２の上端面部に適宜大の貫通穴６を、上端部近傍側面に適宜大の貫通穴７を、副容器底部に副容器の空間に突出する突起部８を有する底蓋９をそれぞれ設けて形成した。【選択図】図３
2018095473.tif 000002
【特許請求の範囲】
【請求項１】
主容器の内部に副容器を設けて二つの空間を形成し、それぞれの空間と通じる適宜大の貫通穴を主容器の底部近傍で副容器側面に設ける。更に、副容器の上端面部に適宜大の貫通穴を、上端部近傍側面に適宜大の貫通穴を、副容器底部に副容器の空間に突出する突起部を有する底蓋を設けて形成した散水ホース収納容器。
【発明の詳細な説明】
【技術分野】
【０００１】  本発明は、長尺ホースの一端部に散水具の取り付口、他端部に水道栓の取り付口と区別して、巻取回転ドラムを使用することなく収納できる容器に関する。
【背景技術】
【０００２】  従来、水道栓から離れた位置にある洗車時や花壇等に散水する際には長尺ホースを必要とし、散水作業終了後は長尺ホ−スを適当にまとめてそのまま放置しておくか、ホース専用巻取具で巻き取っている。【０００３】  専用巻取具の場合、手動でハンドルを介して巻取ドラムを回転させて巻き取るか、回転しないドラムに巻き付けている。
【発明の開示】
【発明が解決しようとする課題】
【０００４】  解決しようする問題点は、従来在る長尺ホースの巻取方式の場合、ホースがドラムの片側に寄ってしまいドラム端から食み出して回転軸に絡んだりする。ドラムに整然と巻き取ることができ難く、その度に巻戻しと巻取り操作を繰返し行っている。巻取りの最後部分はどうしても緩んでしまいドラムから外れてしまう。【０００５】  ドラムを有する巻取方式は構成部品数が多い故、構造が複雑となり製作コストが高くなる。
【課題を解決するための手段】
【０００６】  上記課題を解決するために、請求項１記載に係るホース収納容器は次のように構成した。【０００７】  本発明は、長尺な１本の散水ホースを使用後巻取ドラムに巻取る方式でなく、ホースの両端部を区別して主容器の内部に副容器を設けて形成する二つの空間に分散して収納できることを特徴とする。【０００８】  主容器の底部近傍に主容器が形成する空間と副容器が形成する空間とが通じる貫通穴を副容器側面に設け、更に副容器の上端面部に貫通穴、上端部近傍側面に貫通穴、底部に副容器の空間内に突出する突起部を有する底蓋をそれぞれ設けて形成したことを特徴とする。
【発明の効果】
【０００９】  本発明は、主容器と副容器とで形成するそれぞれの空間内に１本のホースを適宜長さで分散し、而も両端が明確に区別できた状態で収納（収納状態は必ずしも螺旋上で収納してなくてよい）でき、ホース両端口のどちらでも水道栓か散水具を取り付けることができる利点がある。【００１０】  また、散水ホース収納容器の置く位置は二つの空間にホースを分散して収納できるため、被散水物寄りか、水道栓寄りに置くか自由に設定できる利点がある。【００１１】  更に、容器に水を溜置くことができる故、汚れたホース自身を水洗いすることができる利点がある。
【発明を実施するための形態】
【実施例】
【００１２】  図１に示す散水ホース収納容器は主容器１の内部に副容器２を設け、空間３と空間４を形成する。【００１３】  主容器１の上部は開放にし、主容器１の底部近傍に空間３と空間４が通じるホースの通る適宜大の貫通穴５を副容器側面に設ける。更に副容器２の上端部にホースが通る適宜大の貫通穴６、上端部近傍側面にホースの通る適宜大の貫通穴７を設けている。【００１４】  上端部の貫通穴６及び上端部近傍側面の貫通穴７は水道栓または散水具の接続の際、使い勝手の良い方を選択できるように設けている。【００１５】  副容器２の底部に空間４内に突出する突起部８を有する底蓋９を止具１０で数か所固定し、水が漏らないような措置を講じている。【００１６】  上述した底蓋９の突起部８はホースを収納する際、副容器２の底部分から輪状に収納し易くするためである。【００１７】  図２は図１の平面図であり、円形を表しているが必ずしも円形に限定せず、楕円形等でもよい。【００１８】  図３は、散水ホースを本発明の収納容器に収納した状態例で、ホースの一端は貫通穴５を通して副容器２の空間４の収納能力を超えないホース長さを収納し、ホース端部１３は貫通穴６あるいは貫通穴７のいずれかを通して外部に出る。ホース端部１３には副容器２内に入り込まないようにストッパー１１を係止するか、口に水道栓、あるいは散水具に接続できる迅速接手を接続してもよい。【００１９】  図３の主容器１の空間２には該空間の収納能力範囲内のホース長さを収納でき、該ホースの端部１２は主容器１の上部開放部から容器外部に出せる。ホ−スを使用する際、主容器１、副容器２から出てい各端部を所要長さまで引っ張り出す。【００２０】  散水作業が終了すれば、主容器１側から出ているホースは空間３内に副容器１の側壁に沿って底部から上部へと順次収納する。副容器２側から出ているホースは空間４内に押し込むことにより、突起部８の側壁に沿って底部から上部へと順次収納する。
【産業上の利用可能性】
【００２１】  従来、長尺な散水ホースを収納する方法はドラムを回転させ巻取っている方式であるが、この方式は構造上複雑で構成部品が多くなり製作コストが高くなる。それと比較すれば、収納容器として構成している故、構造が単純で製作が容易となり、コストが低く抑えられる。使用上においても操作が簡単で手軽に扱うことができる。而もホースを容器内に収納してしまうため、露出したままとならない。また、散水作業中に一時的に溜水が必要であれば、バケツとして使用することができ、有用な市場性がある。
【図面の簡単な説明】
【００２２】
【図１】散水ホース収納容器の縦断面図。
【図２】同、平面図。
【図３】散水ホースを収納した実施例を表す一部縦断面図。
【符号の説明】  １・・・主容器
２・・・副容器
３、４・・・空間
５、６、７・・・貫通穴
８・・・突起部
９・・・底蓋
１０・・・止具
１１・・・ストッパー
１２、１３・・・ホース端部
【図１】
2018095473.tif 000003
【図２】
2018095473.tif 000004
【図３】
2018095473.tif 000005
(57)【要約】【課題】自動車のリアゲートには、リアゲートを閉める際に手を掛ける補助穴があるが、身長の低い人には届かず、用をなさない場合がある。【解決手段】リアゲート内貼り部に補助ハンドルを取り付ける。このハンドルは、リアゲートの開／閉に連動して、リアゲートの内貼りから起動／格納する。【選択図】図２
2018095225.tif 000002
【特許請求の範囲】
【請求項１】
自動車のリアゲート内貼り部に取り付ける、リアゲート閉鎖時に使用する補助ハンドル。
【請求項２】
リアゲートダンパーに取り付けるワイヤーに依って、リアゲートの開／閉に連動して起動／格納される請求項１の補助ハンドル。
【発明の詳細な説明】
【技術分野】
【０００１】本発明は、自動車のリアゲートを閉める際の補助機能に関する。
【背景技術】
【０００２】自動車のリアゲートには、リアゲートを閉める際に手を掛ける補助穴がある。
【発明の概要】
【発明が解決しようとする課題】
【０００３】自動車のリアゲートには、リアゲートを閉める際に手を掛ける補助穴があるが、身長の低い人には届かず、用をなさない場合がある。
【課題を解決するための手段】
【０００４】本発明は、リアゲートを閉める際の補助ハンドルを提供する。【０００５】リアゲートを閉めた状態では、補助ハンドルはリアゲート内貼りに格納された状態である。【０００６】リアゲートを開けた際に自動的に補助ハンドルが出現し、閉める際には自動的にリアゲート内貼りに格納される。【０００７】補助ハンドルの起動／格納は、リアゲートダンパーに取り付けるワイヤーに連動して作動する。
【発明の効果】
【０００８】上述したように本発明の補助ハンドルは、身長の低い人がリアゲートを閉鎖する際のサポートをする物である。【０００９】また、リアゲートを閉めた状態では、補助ハンドルは内貼りに格納されており、貨物部の積載物の邪魔にならない。
【図面の簡単な説明】
【００１０】
【図１】本補助ハンドル本体をリアゲートに取り付けた図（閉鎖時）
【図２】本補助ハンドル本体をリアゲートに取り付けた図（解放時）
【図３】リアゲートダンパーへのワイヤー取り付け図（閉鎖時）
【図４】リアゲートダンパーへのワイヤー取り付け図（解放時）
【図５】本補助ハンドル本体の前面図
【図６】本補助ハンドル本体の裏面図
【図７】本補助ハンドル本体の前面斜め図
【図８】本補助ハンドル本体の裏面斜め図
【発明を実施するための形態】
【００１１】以下、本発明の実施形態を図１〜図８に基づいて説明する。
【００１２】メインワイヤー３は、車体部リアゲートダンパーａに取り付ける金具１に固定し、リアゲート部リアゲートダンパーｂに取り付ける金具２を通過させる。
【００１３】メインワイヤー３は、更にリアゲート内貼りの内側を通過させて、補助ハンドル本体のワイヤーガイド１２を経て、補助ハンドル押し出し板８に固定する。
【００１４】補助ハンドル本体は、ボルト穴１０にボルトを差し込みリアゲートに固定する。
【００１５】以下、補助ハンドル４の起動／格納の動作を図５〜図８に基づいて説明する。
【００１６】リアゲートを開けた際に、メインワイヤー３が引っ張られて補助ハンドル押し出し板８が手前に押し出される。
【００１７】更に、補助ハンドル押し出し棒７によって、補助ハンドル４が、補助ハンドル回転軸９を軸に手前に押し出される。
【００１８】同時に、補助ハンドル４に固定し、ワイヤーガイド１２を経て接続したサブワイヤー５に引っ張られて、補助ハンドル戻し板６が金属バネ１１を起点に、補助ハンドル本体の内側に回転する。
【００１９】リアゲートを閉める際には、メインワイヤー３を引っ張る力が緩む。
【００２０】同時に、金属バネ１１の反発力によって、補助ハンドル戻し板６が補助ハンドル本体の外側に回転し、サブワイヤー５が引っ張られて補助ハンドル４が格納される。
【００２１】上述したように、補助ハンドル４は起動／格納されるが、メインワイヤー３の長さと引っ張る力、金属バネ１１の反発力のバランスが重要となる。
【符号の説明】
【００２２】    ａ      車体部リアゲートダンパー
ｂ      リアゲート部リアゲートダンパー
１      金具１
２      金具２
３      メインワイヤー
４      補助ハンドル
５      サブワイヤー
６      補助ハンドル戻し板
７      補助ハンドル押し出し棒
８      補助ハンドル押し出し板
９      補助ハンドル回転軸
１０    ボルト穴
１１    金属バネ
１２    ワイヤーガイド
【図１】
2018095225.tif 000003
【図２】
2018095225.tif 000004
【図３】
2018095225.tif 000005
【図４】
2018095225.tif 000006
【図５】
2018095225.tif 000007
【図６】
2018095225.tif 000008
【図７】
2018095225.tif 000009
【図８】
2018095225.tif 000010
(57)【要約】      （修正有）【課題】頭付ボルトをねじ込んだとき、振動等により生じる緩みを確実で簡単な作業により阻止する。【解決手段】頭付ボルト１の頭部上面にボルトのねじ外径と同寸法又は僅かに小さい円形の罫描線を描き、この円上に等間隔に配置した２〜６箇所の位置よりボルト頭部２を貫通して、その下面３より深くまで垂直に小ねじ孔４の下孔５を穿孔した後、ボルト頭部の範囲内のこの下孔にタップ立てして小ねじ孔４を形成しておき、頭付ボルトを下部材１２にねじ込んだ後、先端を鋭角に尖らせ、その底面の直径をねじの下孔と同径にした円錐部７を小ねじの下面に設け、その円錐面に３〜５枚の切刃８を形成した切刃付小ねじ６をボルト頭部のすべての小ねじ孔４にねじ込んでいくことにより、その切刃８が回転しながら進み、上部材のボルト孔１０の入口角部１１を削り取り、そこに食込んでそのまま停止させることにより頭付ボルトと上部材との間を結合させ、回転を阻止する。【選択図】図１
2018136018.tif 000002
【特許請求の範囲】
【請求項１】
頭付ボルトの緩み止めの構造において、頭付ボルト（１）の頭部上面にボルトのねじ外径と同寸法又は僅かに小さい円形の罫描線を描き、この円上に等間隔に配置した２〜６箇所の位置よりボルト頭部（２）を貫通して、その下面（３）より深くまで垂直に小ねじ孔（４）の下孔（５）を穿孔した後、ボルト頭部の範囲内のこの下孔にタップ立てして小ねじ孔（４）を形成しておき、頭付ボルトを上部材（９）のボルト孔（１０）を通して、その下の下部材（１２）の雌ネジ（１３）にねじ込んだ後、先端を鋭角に尖らせ、その底面の直径をねじの下孔と同径にした円錐部（７）を小ねじの下面に設け、その円錐面に３〜５枚の切刃（８）を形成した切刃付小ねじ（６）をボルト頭部のすべての小ねじ孔（４）に深くねじ込んでいくことにより、その切刃（８）が回転しながら進み、上部材のボルト孔（１０）の入口角部（１１）を削り取っていき、そこに食込んでそのまま停止させることにより頭付ボルトと上部材との間を結合させ、回転を阻止するようにした頭付ボルトの緩み止めの構造。
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルトの緩み止めの構造において、頭付ボルト１の頭部上面にボルトのねじ外径と同寸法又は僅かに小さい円形の罫描線を描き、この円上に等間隔に配置した２〜６箇所の位置よりボルト頭部２を貫通して、その下面３より深くまで垂直に小ねじ孔４の下孔５を穿孔した後、ボルト頭部の範囲内のこの下孔にタップ立てして小ねじ孔４を形成しておく。【０００５】  次に頭付ボルトを上部材９のボルト孔１０を通して、その下の下部材１２の雌ネジ１３にねじ込んだ後、先端を鋭角に尖らせ、その底面の直径をねじの下孔と同径にした円錐部７を小ねじの下面に設け、その円錐面に３〜５枚の切刃８を形成した切刃付小ねじ６をボルト頭部のすべての小ねじ孔４に深くねじ込んでいくことにより、その切刃８が回転しながら進み、上部材のボルト孔１０の入口角部１１を削り取っていき、そこに食込んでそのまま停止させることにより頭付ボルトと上部材との間を結合させ、回転を阻止するようにする。
【発明の効果】
【０００６】  本発明の実施により頭付ボルトを強く締め込んだ後、簡単な方法で確実な緩み止めが可能になる。
【図面の簡単な説明】
【０００７】
【図１】本発明の実施形態の一例として、頭付ボルトをねじ込んだ後、その頭部より切刃付小ねじをねじ込んだ状態の縦断面図
【図２】図１の平面図
【図３】本発明の実施形態の一例として、切刃付小ねじの正面拡大図
【図４】図３の底面図
【図５】図３の側面図
【発明を実施するための形態】
【０００８】  頭付ボルトの緩み止めの構造において、頭付ボルト１の頭部上面にボルトのねじ外径と同寸法又は僅かに小さい円形の罫描線を描き、この円上に等間隔に配置した２〜６箇所の位置よりボルト頭部２を貫通して、その下面３より深くまで垂直に小ねじ孔４の下孔５を穿孔した後、ボルト頭部の範囲内のこの下孔にタップ立てして小ねじ孔４を形成しておき、ボルト頭部下面の下孔５は錐孔のまま残しておく。
【０００９】  頭付ボルトを上部材９のボルト孔１０を通して、その下の下部材１２の雌ネジ１３にねじ込んだ後、先端を鋭角に尖らせ、その底面の直径をねじの下孔と同径にした円錐部７を小ねじの下面に設け、その円錐面に３〜５枚の切刃８を形成した切刃付小ねじ６をボルト頭部のすべての小ねじ孔４に深くねじ込んでいく。小ねじの先端の切刃８は、図３、図４及び図５に示すように放射線状に配置した３〜５枚の刃により形成され、硬く焼入れされている。その切刃８が回転しながら進み、上部材のボルト孔１０の入口角部１１を削り取っていき、そこに食込んでそのまま停止させることにより頭付ボルトと上部材との間を結合させ、回転を阻止するようにする。切刃付小ねじ６は小ねじ孔４に蜜に嵌合し、且小ねじのピッチは細かいため振動により緩むことはほとんどない。
【符号の説明】
【００１０】  １・・・頭付ボルト                    ２・・・ボルト頭部
３・・・ボルト頭部の下面              ４・・・頭付ボルトの小ねじ孔
５・・・小ねじの下孔                  ６・・・切刃付小ねじ
７・・・切刃付小ねじの円錘部          ８・・・小ねじの円錘部の切刃
９・・・上部材                      １０・・・上部材のボルト孔
１１・・・ボルト孔の入口角部          １２・・・下部材
１３・・・下部材の雌ネジ
【図１】
2018136018.tif 000003
【図２】
2018136018.tif 000004
【図３】
2018136018.tif 000005
【図４】
2018136018.tif 000006
【図５】
2018136018.tif 000007
(57)【要約】      （修正有）【課題】譜面の苦手な人でも視覚的に弾き語りが安易に演奏出来る楽譜を提供する。【解決手段】ダイヤグラム、リズム譜、コード、歌詞、右手の演奏情報（ロール）の各セクションで構成した楽譜を拍（ウラ）ごとに色分けする。【選択図】図１
2018136517.tif 000002
【特許請求の範囲】
【請求項１】
右手の演奏情報を譜面ではなくロール表示で視覚的に確認できる。
【請求項２】
拍（ウラ）ごとに色分けしダイヤグラム（１）リズム譜（色分け無し）（２）コード（３）歌詞（４）右手の演奏情報（ロール）（５）を一体化リンクさせる。
【発明の詳細な説明】
【技術分野】
【０００１】本発明は、ダイヤグラム（１）リズム譜（２）コード（３）歌詞（４）右手の演奏情報（ロール）（５）の動きを一つにしリンクさせた楽譜に関するものである。
【背景技術】
【０００２】特に指（右手）の弾き方で音の長さを（視覚的に表示）、ダイヤグラム（１）リズム譜（２）コード（３）歌詞（４）の一体化がなかった。
【発明が解決しようとする課題】
【０００３】特に初心者の人が譜面を理解すのが難しく感じられた。
【課題を解決するための手段】
【０００４】本発明の（簡単）ギター弾き語りロールは、譜面が苦手な人を改善するためのものである。
８分音符を基本にオモテ拍（色分け無し）、ウラ拍（色分け有り）にダイヤグラム（１）リズム譜（色分け無し）（２）コード（３）歌詞（４）右手の演奏情報（ロール）（５）をリンクさせた。特に右手の弾き方は視覚的に把握でき初心者の人でも安易に演奏出来る
【発明を実施するための形態】
【０００５】  実施の形態について図１〜図３で説明する。
【図面の簡単な説明】
【０００６】
【図１】各セクションの説明  ダイヤグラム（１）リズム譜（２）コード（３）歌詞（４）右手の演奏情報（ロール）（５）
【図２】例題曲の一部を抜粋しアルペジオ奏法（７）での記入方法説明
【図３】例題曲の一部を抜粋しストローク奏法（６）とアルペジオ奏法（７）を合わせた記入方法説明
【符号の説明】１．ダイヤグラム
２．リズム譜
３．コード
４．歌詞
５．右手の演奏情報（ロール）
６  ストローク奏法
７．アルペジオ奏法
【図１】
2018136517.tif 000003
【図２】
2018136517.tif 000004
【図３】
2018136517.tif 000005
(57)【要約】      （修正有）【課題】飲料を入れた容器の打音により、その飲料の種類を識別したり、その違いを楽しむ方法を提供する。【解決手段】飲料を入れた容器１０を叩くことで発生する音色にて飲料の種類を識別する。【選択図】図１
2018136293.tif 000002
【特許請求の範囲】
【請求項１】
飲料を入れた容器を叩くことで発生する音色にて飲料の種類を識別する方法。
【請求項２】
前記音色は振動音の変化によるものであることを特徴とする請求項１記載の飲料の種類を識別する方法。
【発明の詳細な説明】
【技術分野】
【０００１】
本発明は、容器に入れた飲料の種類により、その容器の打音が異なることに着目した飲料の識別方法又はそれを楽しむ方法に関する。
【背景技術】
【０００２】
本発明者は、ワイングラスやゴブレットグラス等の脚付きグラス（ステムグラス）を相互に軽く打ち付けると、音の響きがよいことに着目して、さらに音の響きを楽しめるように黄銅製の脚付き飲用容器を製作してみた。
このような飲用容器は軽く叩くことで、いわば、おりんにも似たような心地よい音色であった。
試作した上記容器に清酒を注ぎ、乾杯のごとき軽く打ち鳴らすと、長く余韻のある響きであった。
ところが、驚くべきことに、ビールを注いて軽く打ち鳴らすと、その響きが全く異なるものであった。
【０００３】
早速、検索サイト，特許情報プラットホームにて調査したが、これに関連するものが発見されなかった。
特許文献１には、超音波の減衰量による液体判別装置及び方法を開示するが、容器の打音によるものではない。
【先行技術文献】
【特許文献】
【０００４】
【特許文献１】特開２００６−１７６１４号公報
【発明の概要】
【発明が解決しようとする課題】
【０００５】
本発明は、飲料を入れた容器の打音により、その飲料の種類を識別したり、その違いを楽しむ方法の提供を目的とする。
【課題を解決するための手段】
【０００６】
本発明は、飲料を入れた容器を叩くことで発生する音色にて飲料の種類を識別する方法に特徴がある。
ここで、音色は振動音の変化によるものであってよい。
【０００７】
本発明にて識別する方法とは、その音色の違いにより、飲料の種類を当てる楽しみ方等、広い意味である。
【０００８】
容器には、コリングラス，タンブラー，ビアグラス，ワイングラス，カクテルグラス，シャンパングラス，ゴブレットグラス，ブランデーグラス等の各種容器が含まれ、ここでのグラスとは、いわゆるガラス製のみならず、金属製も含まれる広い概念である。
金属製には、ステンレス，アルミ，チタン，黄銅，錫製等が例として挙げられる。
【０００９】
飲料の種類としては、清酒，焼酎，ワイン，ウイスキー，ブランデー，リキュール，ウオッカ，ビール，ジュース，牛乳，炭酸水，水等、その種類に制限はない。
その中でも打音の変化が大きいのは、発泡性の飲料である。
【発明の効果】
【００１０】
本発明は、新しく見出された飲料の種類による容器の打音の変化に基づくものであり、飲料の製造工程や販売において、また飲料を飲んで楽しむ場面等、広い分野での応用が期待される。
また、発泡性の液体によって顕著に容器の振動が制限されることが本発明を通じで判明した。
逆にいえば、驚くべき減衰性を利用した、発泡性の液体のダンパー（振動制限装置）としての幅広い利用方法も考えられる。
発泡性の飲料かどうかは、透明な飲料や水溶液では、見た目ですぐにわからない場合が多く、簡便に乾杯などで、その音の鳴り方で判別がつく。
このことは、目の不自由な人などにとってはとても助かる機能である。
例えば振動により、ベルのように音量がほどほどあり、音の周波数のピークが顕著にあるような、ベルとしても利用できる容器にすれば発泡性の液体とそうでない液体とを判別する判別方法として利用でき、耳で聞いてすぐ判断できるので、便利である。
【図面の簡単な説明】
【００１１】
【図１】実験用に用いた飲用容器の断面図を示す。
【図２】打音の周波数チャートを示す。
【図３】注いだ飲料の種類による振動の差を示す。
【図４】振動解析によるアニメーションを示し、（ａ）は一次モード、（ｂ）は二次モードを示す。
【図５】１０ｇの水，炭酸水を入れた時の振動スペクトラムを示す。
【図６】１５ｇの水，炭酸水を入れた時の振動スペクトラムを示す。
【図７】２５ｇの水，炭酸水を入れた時の振動スペクトラムを示す。
【図８】３５ｇの水，炭酸水を入れた時の振動スペクトラムを示す。
【図９】水に佐藤を１．５，３．０，４．５，６．０ｇ加えた時のスペクトラムを示す。
【発明を実施するための形態】
【００１２】
図１に示した飲用容器１０に清酒を約７０％注いて、打音した時の周波数と、そのｄＢのチャートを示す。
周波数２，３５０Ｈｚ，５，４３７Ｈｚ，９，７０３Ｈｚ付近にて大きく、且つ長い音色であった。
これに対して、ビールを約７０％注いて叩いたところ、非常に短い音色であった。
【００１３】
次に、図１に示したような飲料容器を用いて、図３に示すように（ａ）：空に下状態、（ｂ）：約半分の水を入れた状態、（ｃ）：炭酸水を入れた状態で音を鳴らして、その残響を調査した。
調査に用いた飲用容器は、黄銅合金からなり、開口部外径約４０ｍｍ，肉厚１ｍｍ，容器の深さ約４５ｍｍ，底部の内径約２０ｍｍのものである。
等価騒音レベルが７０ｄＢから５０ｄＢまで低下する残響時間を計測すると、（ａ）の空は約２．７秒，（ｂ）の水を入れたものは約１．５秒であったのに対して、炭酸水を入れたものは０．１秒と非常に短かった。
【００１４】
次に、振動モードを解析した。
図４（ａ）には、一次モードの振動、（ｂ）には二次モードの振動のアニメーション図を示す。
図５は、容器に１０ｇの水を入れた状態と、１０ｇの炭酸水の入れた状態での振動スペクトラムを示す。
同様に、図６は１５ｇの水又は炭酸水を入れた状態、図７は２５ｇの水又は炭酸水を入れた状態、図８は３５ｇの水又は炭酸水を入れた状態の各スペクトラムを示す。
水と炭酸水では明らかに相違し、入れる量によっても変化することが分かる。
図９は、１５ｇの水に砂糖をそれぞれ１．５ｇ，３．０ｇ，４．５ｇ，６．０ｇを加えて溶かした溶液を入れた状態の振動スペクトラムを示す。
砂糖の加える量によっても、振動が変化しているのが分かる。
【符号の説明】
【００１５】
１０      飲用容器
１１      台部
１２      脚部
１３      本体部
【図１】
2018136293.tif 000003
【図２】
2018136293.tif 000004
【図３】
2018136293.tif 000005
【図４】
2018136293.tif 000006
【図５】
2018136293.tif 000007
【図６】
2018136293.tif 000008
【図７】
2018136293.tif 000009
【図８】
2018136293.tif 000010
【図９】
2018136293.tif 000011
(57)【要約】      （修正有）【課題】外部エネルギーを必要としない滅菌や減ウィルスを行うフリーラジカル発生方法と発生手段を提供する。【解決手段】石の表面に金属皮膜を施し、その石から放出されるエネルギーやガンマ線が、金属皮膜を施すことによる光電効果によりベータ線に変更され、そのベータ線が空気中でフリーラジカルを発生させる。そのフリーラジカルを用いて減菌や減ウイルスを外部エネルギーなしで行うことが可能となる。【選択図】なし【特許請求の範囲】
【請求項１】
光電効果を得るためにメッキなどによって表面を金属皮膜で覆った放射線を有する自然の石によってフリーラジカルを発生させることを目的としたもの。
【発明の詳細な説明】
【技術分野】
【０００１】本発明は放射線を有する自然の石を金属皮膜で覆ったものに関する
【技術背景】
【０００２】光触媒による、減菌、減ウイルスには現行、取り扱いに大きな制限があり、使用用途が限られている。理由としては、紫外線や光の照射が必須であり、また多量の紫外線や光が光触媒を有効に作用するには必要であるこれらの理由により、屋外の外壁の塗料に混ぜ使用するなどの用途に限られている。
【先行技術文献】
図解、光触媒のすべて  橋本和仁、藤嶋昭著  ２０１２年  オーム社
【発明の概要】
【発明が解決しようとする課題】
【０００３】光触媒の様に外部からの多量の紫外線や光を必要としており、使用用途が非常に制限されてしまい、屋内での使用には適していません。また光触媒ではそのもの自体では機能しないため、自立的な減菌、減ウイルス、方法ではない。
【課題を解決する手段】
【０００４】取り扱いのしやすい新たな、減菌、減ウイルス方法として、自然の石が本来持っているエネルギーであるガンマ線を金属皮膜が施されることでベータ線に変更され、そのベータ線が周辺の空気や水分子にフリーラジカルが生成される。そのフリーラジカルが菌や毒素などの有機物を分解することにより当初の目的を達するものである。
この方法では自然石が元来微量に有する、放射線、ガンマ線を利用するため外部からのエネルギーを必要としない。
【発明を実施するための形態】
【０００５】ガンマ線をベータ線に変換するための光電効果を発生させるには自然の石に適切な厚みで金属皮膜を施さなければならない。そのためメッキによってメッキ厚を７７，４マイクロメートル以下かつ４７．２ナノメートル以上にする必要がある。
【０００６】材料の自然の石は安全に使用するための国際放射線防護委員会の年間公衆被爆の基準に基づいて放射線の一種であるガンマ線が１ミリシーベルト／年以下のものとし、形、大きさについては任意である。
(57)【要約】【課題】  本発明は、毎週同じ曜日、時間に入っている予定を一度書き込むだけで、毎週決まった曜日、時間に入っている予定を毎週書かなくても、年間を通して決まった曜日、時間帯に予定を記入したことになる手帳を提供する。【解決手段】  手帳の表紙（１）の一端に、日付の入っていないスケジュールが印刷された下敷き部（２）を付ける。トレーシングペーパーに印刷をされている日付の入っているスケジュール（３）が手帳に付属されている、決まった予定が見える手帳。【選択図】図１
2018058325.tif 000002
【特許請求の範囲】
【請求項１】
手帳の表紙（１）にトレーシングペーパーに印刷をされている日付の入っているスケジュール（３）を付属させ、手帳の表紙（１）の一端に日付の入っていないスケジュールが印刷された下敷き部（２）を付けた、予定が見える手帳。
【発明の詳細な説明】
【技術分野】
【０００１】  この発明は、毎週同じ曜日、時間に入っている予定を一度書き込むだけで、毎週決まった曜日、時間に入っている予定を毎週書かなくても、年間を通して決まった曜日、時間帯に予定を記入したことになる手帳に関するものである。
【背景技術】
【０００２】  従来、毎週同じ曜日、時間に入っている予定でも、毎週同じ曜日、時間の欄にその予定を書き込まねばならなかった。
【先行技術文献】
【特許文献】
【０００３】
【特許文献１】
【発明の概要】
【発明が解決しようとする課題】
【０００４】  これは、次のような欠点があった。
従来、手帳のスケジュール部は予定があるたびに、書き込むものであった。予定があるたびに書き込む為、毎週同じ曜日、時間に入っている決まった予定を毎週同じ曜日、時間の欄に書かねばならず、書き込むことが面倒になってしまう事が多くある。その結果つい、他の予定を入れてしまったり、忘れてしまう事がある。本発明は以上のような欠点をなくすためになされたものである。
【課題を解決するための手段】
【０００５】  手帳の表紙（１）の一端に、日付の入っていないスケジュールが印刷された下敷き部（２）を付ける。この時、印刷面は裏側になっている。トレーシングペーパーに印刷をされている日付の入っているスケジュール（３）が手帳に付属されている。本発明は以上の構成によりなる、決まった予定が見える手帳である。
【発明の効果】
【０００６】  トレーシングペーパーに印刷をされている日付の入っているスケジュール（３）の下に毎週同じ曜日、時間に入っている予定を書き込んだ、日付の入っていないスケジュールが印刷された下敷き部（２）を入れることで予定が透けて見え、毎週同じ曜日、時間にある決まった予定を、毎週同じ曜日、時間の欄に書きこまなくても、書き込んでいるのと同じように、予定を確認することができる。
通常の手帳としても使用することが出来、予定に変更が生じても、矢印などで簡単に変更をすることができ、必要事項が生じた場合も、上から書き足すことが可能である。
【図面の簡単な説明】
【０００７】
【図１】本発明の下敷き部と、トレーシングペーパーのスケジュールを使用した状態を示した斜視図である。
【図２】本発明の手帳の表紙に付属されたトレーシングペーパーのスケジュールと、下敷き部の分解図である。
【図３】本発明の下敷き部の拡大図である。
【発明を実施するための形態】
【０００８】  以下、本発明を実施するための形態について説明をする。
手帳の表紙（１）の一端に、日付の入っていないスケジュールが印刷された下敷き部（２）を付ける。これは、係止具で代用をしても良い。
トレーシングペーパーに印刷をされている日付の入っているスケジュール（３）が手帳の表紙に付属されている。本発明は以上のような構造である。
この構造を使用することにより、トレーシングペーパーに印刷をされている日付の入っているスケジュール（３）の下に、毎週同じ曜日、時間に入っている予定を書き込んだ、日付の入っていないスケジュールが印刷された下敷き部（２）を入れることで、予定が透けて見え、毎週決まった曜日、時間に入っている予定を毎週書かなくても、年間を通して同じ曜日、時間の欄に書きこんでいることとなる。
【符号の説明】
【０００９】（１）手帳の表紙
（２）日付の入っていないスケジュールが印刷された下敷き部
（３）トレーシングペーパーに印刷をされている日付の入っているスケジュール
【図１】
2018058325.tif 000003
【図２】
2018058325.tif 000004
【図３】
2018058325.tif 000005